(57)【要約】【課題】  本発明は組み立ての手間がかからず、運搬が容易で、挿入が容易に行える緩衝材及びこの緩衝材に変形する段ボール板を提供することを課題とする。【解決手段】  本発明にかかる緩衝用の段ボール板１は、付勢部７と、製品を位置決めするための開口部６を有する位置決め面３とを備えている。付勢部７が折曲げられると折曲げ前の形状に復元しようとする復元力によって前記付勢力が生じ、位置決め面３は付勢力によって付勢部７から離れるように付勢される。この段ボール板１を一方向の製品間に挿入すると、他の仕切板等を使用しなくとも、製品の位置決めが行える。【選択図】図１
2007261627.tif 000002
【特許請求の範囲】
【請求項１】
第一折曲部と開口部とが形成された、段ボール紙製の緩衝材であって、
前記第一折曲部が付勢部として機能し、前記開口部の周辺部が内容物を保持する位置決め部として機能し、
前記付勢部は、前記第一折曲部が折り曲げ前の形状に復元しようとする性状によって付勢力を発生させ、
該付勢力によって、前記位置決め部の面の略法線方向に、前記位置決め部が付勢され、
展開することによって一の段ボール板状になる、緩衝材。
【請求項２】
前記第一折曲部と略平行な第二折曲部が形成され、
前記第一折曲部と前記第二折曲部との間に前記位置決め部が位置し、
前記第二折曲部を介して前記位置決め部に隣接する部分が天面として機能する、請求項１記載の緩衝材。
【請求項３】
前記開口部が、前記第一折曲部に沿って複数形成された、請求項１又は２記載の緩衝材。
【請求項４】
前記第一折曲部が、段繰り方向（中芯の流れ方向）と略平行に形成された、請求項１乃至３のいずれかに記載の緩衝材。
【請求項５】
前記開口部が前記第一折曲部を挟んでその両側に形成され、
前記第一折曲部を挟んで二の位置決め部が形成され、
前記付勢力によって、前記二の位置決め部が互いに離れる方向に付勢される、請求項１乃至４のいずれかに記載の緩衝材。
【請求項６】
折曲線と、開口部とを有し、前記折曲線に沿って折曲げることによって、請求項１乃至５のいずれかに記載の緩衝材に変形する段ボール板。
【発明の詳細な説明】
【技術分野】
【０００１】
本発明は緩衝用の段ボール板及び緩衝材に関し、特に製品間への挿入作業を簡略化する緩衝用の段ボール板及び緩衝材に関する。
【背景技術】
【０００２】
製品が箱詰めされた状態で輸送されると、製品が互いに接触し、製品表面の塗装がはがれたり、表面が変形したりする場合がある。これを防ぐため、製品と製品との間に緩衝用の仕切板が入れられるのが一般的である。図８は仕切板50を入れた状態の箱の斜視図である。この仕切板50は、縦仕切板51と横仕切り板52とから成る。縦仕切板51及び横仕切板52は互いに交差する位置に切込みが入っており、この切込みに沿って縦の仕切り板51と横の仕切り板52が組み立てられる。仕切板50は組み立てられた状態で製品間に挿入される。組み立てられた仕切板50を製品間に挿入する場合、製品の位置を整えながら挿入しなければならず、挿入作業に時間がかかってしまう。また、仕切板50の組み立ては、たくさんの縦仕切板51及び横仕切板52を組み合わせるため、手間がかかってしまう。さらに、通常は仕切板50は折り畳まれた状態で業者に納入されるが、この状態では全体の厚みが一定ではなく、重ねての運搬には適しておらず仕切板50自体の運搬効率は悪いものであった。
【０００３】
これに対し従来、一対の帯板素材を部分的に糊付けした仕切板が提案されている（特許文献１参照）。この仕切板は、簡単に角形の製品挿入部分を形成できるため、仕切板の組立時間を短縮でき、また重ねての運搬にも適するものであった。
【特許文献１】特開平６−５６１４６号公報
【発明の開示】
【発明が解決しようとする課題】
【０００４】
ところが、提案された上記の仕切板であっても、製品の位置を整えながら仕切板を挿入しなければならず、挿入に手間がかかるとういう従来の問題は残ったままであった。
【０００５】
そこで、本発明は製品間への挿入作業が効率的に行える緩衝材及びこの緩衝材に変形する段ボール板を提供することを課題とする。
【課題を解決するための手段】
【０００６】
上記課題を解決するため、本願発明にかかる緩衝材は、第一折曲部と開口部とが形成された、段ボール紙製の緩衝材であって、前記第一折曲部が付勢部として機能し、前記開口部の周辺部が内容物を保持する位置決め部として機能し、前記付勢部は、前記第一折曲部が折り曲げ前の形状に復元しようとする性状によって付勢力を発生させ、該付勢力によって、前記位置決め部の面の略法線方向に、前記位置決め部が付勢され、展開することによって一の段ボール板状になる。かかる構成によれば、緩衝材を製品間に挿入すると、製品を緩衝材の挿入方向と略直角方向に付勢し、位置決め部に対応する位置に固定することができる。そのため、例えば商品の間の縦方向に緩衝材を挿入すれば、横方向に仕切板等を挿入しなくても、製品間の接触を防ぐことができる。
【０００７】
また、上記緩衝材において、前記第一折曲部と略平行な第二折曲部が形成され、前記第一折曲部と前記第二折曲部との間に前記位置決め部が位置し、前記第二折曲部を介して前記位置決め部に隣接する部分が天面として機能するようにしてもよい。かかる構成によれば、緩衝材が製品間に挿入されるのに伴って、製品の上部に天面を形成することができる。よって、製品を複数段に積み上げる場合、各段を仕切るための仕切板を挿入する必要がないため、箱詰め作業を単純化することができる。
【０００８】
また、上記緩衝材において、前記開口部が、前記第一折曲部に沿って複数形成されるようにしてもよい。かかる構成によれば、複数の製品に対応して位置決めすることができる。
【０００９】
また、上記緩衝材において、前記第一折曲部が、段繰り方向（中芯の流れ方向）と略平行に形成されてもよい。かかる構成によれば大きな付勢力を発生することができる。
【００１０】
また、上記緩衝材において、前記開口部が前記第一折曲部を挟んでその両側に形成され、前記第一折曲部を挟んで二の位置決め部が形成され、前記付勢力によって、前記二の位置決め部が互いに離れる方向に付勢されるようにしてもよい。かかる構成によれば、２列に並べられた製品に対応することができる。
【００１１】
さらに、上記課題を解決するため、本願発明にかかる段ボール板は、折曲線と、開口部とを有し、前記折曲線に沿って折曲げることによって、上記の緩衝材に変形する。なお、上記の「折曲線」には罫線及びハーフカット線が含まれる。
【発明の効果】
【００１２】
本発明にかかる緩衝材を製品間の一方向に挿入するだけで、製品間の接触を防ぐことができる。よって、緩衝材の商品間への挿入作業を効率的に行うことができる。
【発明を実施するための最良の形態】
【００１３】
本発明にかかる緩衝材及び段ボール板を実施するための最良の形態について、図を参照しつつ以下に説明する。本実施形態では、製品を４つずつ２列に並べ、これを上下２段に積んで箱詰めする場合に使用する緩衝材及び段ボール板ついて説明する。また、製品の形状は円柱である場合を想定している。
【００１４】
まず、段ボール板の構成について説明する。図１は、本実施形態に係る段ボール板１の平面図である。図１に示すように、本実施形態に係る段ボール板１の形状は長方形である。段ボール板１は、１つの中央面２と、２つの位置決め面３と、２つの天面４とを備えている。
【００１５】
中央面２は平面視が長方形であって、段ボール板１の中央に位置する面である。中央面２は、中央面２と位置決め面３との境界線７に平行で、かつ、中央面２の中央に位置する中央線５を有する。中央線５は上面側が切断されたハーフカット加工が施されている。図２はハーフカット加工された段ボール板の断面図である。図２に示すように、ハーフカット加工とは、一方のライナー22を残し、他方のライナー21と中芯23とを切断する加工である。かかる加工によれば、加工部を容易に折曲げることができる。なお、後述の付勢力を増加させたい場合は、ハーフカット加工を罫線加工としてもよい。
【００１６】
位置決め面３は平面視が長方形であって、中央面２の両端に位置する面である。位置決め面３の幅w2は、中央面２の幅w1のおよそ半分である。また、位置決め面３の幅w2は、製品Pの高さｈよりも狭くしてもよい（図５参照）。両位置決め面３は、中央線５に平行に等間隔に開口部６を有している。本実施形態では、両位置決め面３の開口部６は製品Pの位置に対応して４か所に施されている。開口部６は位置決め面３と中央面２との境界線７から天面４との境界線８にかけて開口している。開口部６は略長方形であるが、位置決め面３と中央面２との境界線７付近では、開口部６の幅が広がっている。また、段ボール板１の側端部12から最も近い開口部６の中心までの距離d1は、開口部６同士の中心間距離d2の約半分である。中央面２と位置決め面３との境界線７には、罫線（折曲加工）が施されている（第一折曲線）。なお、段ボール板１において、一方の天面４から他方の天面４に向かう方向と直角の方向が段繰り方向（中芯の流れ方向）である。つまり、上記罫線は段繰り方向（中芯の流れ方向）と略平行に形成されている。
【００１７】
天面４は平面視が略長方形であって、位置決め面３のさらに外方に位置する面である。天面４は、端部９の中央部に半円状の切込み10を有している。また、位置決め面３と天面４との境界線８は、上面側が切り取られるハーフカット加工が施されている（第二折曲線）。なお、両天面４の合計面積は、製品が箱詰めされる箱の平面視における面積よりもわずかに小さくなっている。また、各面２、３、４の境界線７、８方向の長さは、製品Pを４つ並べられた状態の長さとほぼ同じである。
【００１８】
以上が本実施形態にかかる段ボール板１の構成である。本実施形態にかかる段ボール板１は、1枚の段ボール板に折り曲げ加工及び切断加工がなされたものである。よって、段ボール板１全体に渡って同じ厚さを有しているため、重ねても崩れにくい。そのため、段ボール板１の運搬を効率良く行うことができる。
【００１９】
次に、本実施形態に係る段ボール板１の折り込み方法について説明する。段ボール板１は、所定形状に折り込まれた状態で使用される。図３は本実施形態に係る段ボール板１を使用する際の折り込み状態を表した図である。図３に示すように、中央線５を境にして、両半面の裏面同士を向き合うように、中央面２を鋭角に折り込む。上述のように中央線５は上面側が切り取られたハーフカット加工が施されているため、容易に折り込むことができる。
【００２０】
また、中央面２と位置決め面３との境界線７を境にして、中央面２の表面と位置決め面３の表面とが向き合うように、位置決め面３を鋭角に折り込む。上述のように、中央面２と位置決め面３との境界線７には罫線が施されているため、周囲に比べ境界線７で折れやすくなっている。この中央面２と位置決め面３との境界線７は付勢力を発生させる付勢部の役割を果たす。位置決め面３と中央面２との境界線７はハーフカット加工が施されている部分に比べ、折り込みはある程度の力を要するが、その分大きな復元力を発生させることができる。罫線が施された境界線７（折曲加工部）は、折り曲げられることにより、折り曲げ前の形状に復元しようとする復元力を発生する。この復元力を利用して付勢力を発生させる。
【００２１】
また、天面２と位置決め面３の境界線８を境にして、両天面４が水平になるように、天面４を略直角に折り込む。なお、天面２の折り込みは、段ボール板を製品Pの間に挿入した後に行ってもよい。
【００２２】
以上が本実施形態にかかる段ボール板１の折り込み方法である。このように本実施形態にかかる段ボール板１は、他の部材と組み合わせて組み立てる必要がなく、簡単な折り込み作業によって使用可能な状態にすることができる。
【００２３】
次に、折り込まれた段ボール板の製品間への挿入方法について説明する。図４は、折り込まれた段ボール板１の一部が製品P間に挿入された状態の概略図である。下段の製品Pが並べられた後に、上記の折り込まれた状態の段ボール板１を挿入する。折り込まれた段ボール板１に対して天面４側から中心面２方向へ力をかけ、段ボール板１が内側に縮んだ状態で製品Pの間へ挿入する。図４に示すように、中央面２と位置決め面３との両境界線７の部分をまず製品Pの間へ挿入する。位置決め面３の開口部６の位置は、製品Pの位置に対応しており、かつ製品Pの側面は円弧状であるため、開口部６の少なくとも一方の側辺11に製品Pの側面が接触する。特に、開口部６の位置決め面３と中央面２との境界線７付近は幅が広くなっているため、製品Pの位置と開口部６の中心位置が多少ずれていても開口部６の側辺11は製品Pの側面と接触することができる。つまり、この幅広の部分は、製品を開口部６へ導くガイドの役割を果たす。
【００２４】
また、挿入状態では、位置決め面３は天面４との境界線８が中央面２との境界線７よりも外側となるように傾斜している。そのため、段ボール板１を製品Pの間にさらに押し込んでいくと、製品Pには外側に向かう力が徐々に大きくなる。そうすると、開口部６の一方の側辺11の一点から力を受けていた製品は、より安定した状態を求めて両方の側辺11と接触するよう開口部６の中心に移動する。これにより、各製品Pは開口部６の中心に位置決めされる。
【００２５】
図５は、本実施形態にかかる段ボール板１が製品Pの間に完全に挿入された状態の斜視図である。図５に示すように、段ボール板１は位置決め面３と天面４の境界線８が製品の上面の高さと一致する位置まで挿入される。付勢部７は鋭角に曲げられた状態であり、折曲げ前の形状に復元しようとする復元力により、製品Pは位置決め面３（開口部６）の略法線方向に付勢される。そのため、製品Pは安定位置である開口部６の中心に固定し続ける。さらに、位置決め面３と天面４との境界線８で、両天面４は水平になるように、天面４を折り込む。これにより、製品Pの上面を覆うことができる。なお、天面４の端部９は箱Bの壁面の近くに位置する。また、段ボール板を外す際、天面４に施された半円状の切欠き部10に指を入れることが可能であるため、段ボール板１を容易に取り外すことができる。
【００２６】
下段の製品Pに段ボール板１を挿入した後は、下段に挿入された段ボール板１の天面４に上段の製品Pを並べる。このように、上段の製品Pと下段の製品Pの間に天面４を介しているため、上段の製品Pと下段の製品Pの接触を防止することができる。なお、図８に示すような従来の仕切板50を使用する場合、図８の仕切板50とは別の仕切板を上段と下段の間に敷く作業が必要であったが、本実施形態によれば、そのような作業は不要となる。上段の製品Pの間に挿入される段ボール板１の挿入方法は、下段に挿入する段ボール板１の挿入方法と同じである。ただし、上段に挿入する段ボール板の構成は、天面４を有しない構成としてもよい。製品を２段で箱に詰め込む場合、上段の製品の上に製品が並べられることは無いからである。この場合であっても、開口部６に対応する部分が開口部となり、本来の開口部６と同様の機能を果たすことができる。
【００２７】
以上が本実施形態にかかる段ボール板１の製品Pの間への挿入方法である。このように折り込まれた本実施形態にかかる段ボール板１は、製品間の一方向に挿入するだけで、製品を位置決め及び固定し、緩衝材として機能することができる。よって、このような緩衝材であれば挿入作業を効率よく行うことができる。
【００２８】
以上では、本実施形態にかかる段ボール板１は両位置決め面３の間に中央面２を備えていると説明したが、これに代えて図６の段ボール板1aのように、両位置決め面3a同士を隣接させても良い。この場合、両位置決め面3aの境界線7aが付勢部となる。図６の段ボール板1aは図１の段ボール板１よりも使用する材料を減らすことができる。
【００２９】
また、本実施形態では中央面２の中央線５に対して対称な段ボール板１について説明したが、これに代えて図７のように図１の段ボール板１の半分のみの形状を有する段ボール板1bとしても良い。図７のような段ボール板1bは、製品が１列に並んでいる場合に使用することができる。また、図１の段ボール板１、図６の段ボール板1a及び図７の段ボール板1bの各段ボール板を連結させたものであってもよい。例えば、同じ段ボール板を連結してもよく、他の段ボール板を連結してもよい。かかる構成によれば、二又は三以上の列に並べられた製品にも対応することができる。
【産業上の利用可能性】
【００３０】
本発明によれば、製品間への挿入作業が容易な緩衝用の段ボールケース及び緩衝材を提供することができる。よって、段ボール板及び緩衝材の技術分野において有益である。
【図面の簡単な説明】
【００３１】
【図１】本願発明にかかる段ボール板の平面図である。
【図２】ハーフカット加工を説明するための段ボール板の断面図である。
【図３】図１の段ボール板を折り込んだ状態の斜視図である。
【図４】図１の段ボール板を折り込んで一部を製品間に挿入した状態の断面図である。
【図５】図１の段ボール板を折り込んで全部を製品間に挿入した状態の斜視図である。
【図６】本願発明にかかる段ボール板の他の実施形態を示した平面図である。
【図７】本願発明にかかる段ボール板の他の実施形態を示した平面図である。
【図８】従来の仕切板が挿入された状態の段ボールケースの斜視図である。
【符号の説明】
【００３２】
１  段ボール板
３  位置決め面
４  天面
６  開口部
７  付勢部
【図１】
2007261627.tif 000003
【図２】
2007261627.tif 000004
【図３】
2007261627.tif 000005
【図４】
2007261627.tif 000006
【図５】
2007261627.tif 000007
【図６】
2007261627.tif 000008
【図７】
2007261627.tif 000009
【図８】
2007261627.tif 000010
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
第一折曲部と開口部とが形成された、段ボール紙製の緩衝材であって、
前記第一折曲部が付勢部として機能し、前記開口部の周辺部が内容物を保持する位置決め部として機能し、
前記付勢部は、前記第一折曲部が折り曲げ前の形状に復元しようとする性状によって付勢力を発生させ、
該付勢力によって、前記位置決め部の面の略法線方向に、前記位置決め部が付勢され、
前記内容物間に挿入されることによって、前記付勢力によって前記位置決め部に対応する位置に前記内容物を固定し、
展開することによって一の段ボール板状になる、緩衝材。
【請求項２】
前記第一折曲部と略平行な第二折曲部が形成され、
前記第一折曲部と前記第二折曲部との間に前記位置決め部が位置し、
前記第二折曲部を介して前記位置決め部に隣接する部分が天面として機能する、請求項１記載の緩衝材。
【請求項３】
前記開口部が、前記第一折曲部に沿って複数形成された、請求項１又は２記載の緩衝材。
【請求項４】
前記第一折曲部が、段繰り方向（中芯の流れ方向）と略平行に形成された、請求項１乃至３のいずれかに記載の緩衝材。
【請求項５】
前記開口部が前記第一折曲部を挟んでその両側に形成され、
前記第一折曲部を挟んで二の位置決め部が形成され、
前記付勢力によって、前記二の位置決め部が互いに離れる方向に付勢される、請求項１乃至４のいずれかに記載の緩衝材。
【請求項６】
第一折曲線と、切欠孔と、を備え、
該第一折曲線を折り曲げることにより請求項１の衝撃材となる段ボール板であって、
該第一折曲線が変形後の該第一折曲部に対応し、
該切欠孔が該開口部に対応する、段ボール板。
【請求項７】
第一折曲線と、第二折曲線と、切欠孔と、を備え、
該第一折曲線と該第二折曲線とを折り曲げることにより請求項２乃至５のうちいずれか一に記載の衝撃材となる段ボール板であって、
該第一折曲線が変形後の該第一折曲部に対応し、
該第二折曲線が変形後の該第二折曲部に対応し、
該切欠孔が変形後の該開口部に対応する、段ボール板。
【手続補正２】
【補正対象書類名】明細書
【補正対象項目名】０００６
【補正方法】変更
【補正の内容】
【０００６】
上記課題を解決するため、本願発明にかかる緩衝材は、第一折曲部と開口部とが形成された、段ボール紙製の緩衝材であって、前記第一折曲部が付勢部として機能し、前記開口部の周辺部が内容物を保持する位置決め部として機能し、前記付勢部は、前記第一折曲部が折り曲げ前の形状に復元しようとする性状によって付勢力を発生させ、該付勢力によって、前記位置決め部の面の略法線方向に、前記位置決め部が付勢され、前記内容物間に挿入されることによって、前記付勢力によって前記位置決め部に対応する位置に前記内容物を固定し、展開することによって一の段ボール板状になる。かかる構成によれば、例えば商品の間の縦方向に緩衝材を挿入すれば、横方向に仕切板等を挿入しなくても、製品間の接触を防ぐことができる。
【手続補正３】
【補正対象書類名】明細書
【補正対象項目名】００１１
【補正方法】変更
【補正の内容】
【００１１】
さらに、上記課題を解決するため、本願発明にかかる段ボール板は、第一折曲線と、切欠孔と、を備え、該第一折曲線を折り曲げることにより上記の衝撃材となる段ボール板であって、該第一折曲線が変形後の該第一折曲部に対応し、該切欠孔が該開口部に対応する。あるいは、本願発明にかかる段ボール板は、第一折曲線と、第二折曲線と、切欠孔と、を備え、該第一折曲線と該第二折曲線とを折り曲げることにより上記の衝撃材となる段ボール板であって、該第一折曲線が変形後の該第一折曲部に対応し、該第二折曲線が変形後の該第二折曲部に対応し、該切欠孔が変形後の該開口部に対応する。なお、上記の「折曲線」には罫線及びハーフカット線が含まれる。
【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
第一折曲部と開口部とが形成された、段ボール紙製の緩衝材であって、
前記第一折曲部が付勢部として機能し、前記開口部の周辺部が内容物を保持する位置決め部として機能し、
前記付勢部は、前記第一折曲部が折り曲げ前の形状に復元しようとする性状によって付勢力を発生させ、
該付勢力によって、前記位置決め部の面の略法線方向に、前記位置決め部が付勢され、
前記内容物間に挿入されることによって、前記付勢力によって前記位置決め部に対応する位置に前記内容物を固定し、
展開することによって一の段ボール板状になり、
前記第一折曲部と略平行な第二折曲部が形成され、
前記第一折曲部と前記第二折曲部との間に前記位置決め部が位置し、
前記第二折曲部を介して前記位置決め部に隣接する部分が天面として機能する、緩衝材。
【請求項２】
前記開口部が、前記第一折曲部に沿って複数形成された、請求項１記載の緩衝材。
【請求項３】
前記第一折曲部が、段繰り方向（中芯の流れ方向）と略平行に形成された、請求項１又は２に記載の緩衝材。
【請求項４】
前記開口部が前記第一折曲部を挟んでその両側に形成され、
前記第一折曲部を挟んで二の位置決め部が形成され、
前記付勢力によって、前記二の位置決め部が互いに離れる方向に付勢される、請求項１乃至３のいずれかに記載の緩衝材。
【請求項５】
第一折曲線と、第二折曲線と、切欠孔と、を備え、
該第一折曲線と該第二折曲線とを折り曲げることにより請求項１乃至４のいずれかに記載の衝撃材となる段ボール板であって、
該第一折曲線が変形後の該第一折曲部に対応し、
該第二折曲線が変形後の該第二折曲部に対応し、
該切欠孔が変形後の該開口部に対応する、段ボール板。
【手続補正２】
【補正対象書類名】明細書
【補正対象項目名】０００６
【補正方法】変更
【補正の内容】
【０００６】
上記課題を解決するため、本願発明にかかる緩衝材は、第一折曲部と開口部とが形成された、段ボール紙製の緩衝材であって、前記第一折曲部が付勢部として機能し、前記開口部の周辺部が内容物を保持する位置決め部として機能し、前記付勢部は、前記第一折曲部が折り曲げ前の形状に復元しようとする性状によって付勢力を発生させ、該付勢力によって、前記位置決め部の面の略法線方向に、前記位置決め部が付勢され、前記内容物間に挿入されることによって、前記付勢力によって前記位置決め部に対応する位置に前記内容物を固定し、展開することによって一の段ボール板状になり、前記第一折曲部と略平行な第二折曲部が形成され、前記第一折曲部と前記第二折曲部との間に前記位置決め部が位置し、前記第二折曲部を介して前記位置決め部に隣接する部分が天面として機能する。かかる構成によれば、例えば商品の間の縦方向に緩衝材を挿入すれば、横方向に仕切板等を挿入しなくても、製品間の接触を防ぐことができる。
【手続補正３】
【補正対象書類名】明細書
【補正対象項目名】０００７
【補正方法】変更
【補正の内容】
【０００７】
また、かかる構成によれば、緩衝材が製品間に挿入されるのに伴って、製品の上部に天面を形成することができる。よって、製品を複数段に積み上げる場合、各段を仕切るための仕切板を挿入する必要がないため、箱詰め作業を単純化することができる。
【手続補正４】
【補正対象書類名】明細書
【補正対象項目名】００１１
【補正方法】変更
【補正の内容】
【００１１】
さらに、上記課題を解決するため、本願発明にかかる段ボール板は、第一折曲線と、第二折曲線と、切欠孔と、を備え、該第一折曲線と該第二折曲線とを折り曲げることにより上記の衝撃材となる段ボール板であって、該第一折曲線が変形後の該第一折曲部に対応し、該第二折曲線が変形後の該第二折曲部に対応し、該切欠孔が変形後の該開口部に対応する。なお、上記の「折曲線」には罫線及びハーフカット線が含まれる。